(57)【要約】【課題】  本考案は、人類に取って永遠の課題である故人の生き様を子々孫々まで永続的に残すシステムを提供すること目的とする。【解決手段】  本考案は、故人のDNAもしくは細胞を保存する内容器１と、故人の生前などを記録した書き換え可能な記録媒体５ｃとを一括保存する外容器５を備え、内容器１は、故人の子孫もしくは引継ぎを希望し、かつ故人が生前、もしくはその正当な代理人などが認めた人数分だけ用意してあり、前記記憶媒体５には、保存容器の人数分の記録を書き加えてなる。【選択図】  図１
0003146457.tif 000002
【実用新案登録請求の範囲】
【請求項１】
故人のDNAもしくは細胞を保存する保存容器と、該故人の生前などを記録した書き換え可能な記録媒体とを一括保存する保管庫を備え、前記保存容器は、故人の子孫もしくは引継ぎを希望し、かつ故人が生前、もしくはその正当な代理人などが認めた人数分だけ用意してあり、前記記憶媒体には、保存容器の人数分の記録を書き加えてなるＤＮＡ埋葬システム。
【請求項２】
請求項１の保管庫が、DNAもしくは細胞の保存容器および多数の保存容器を整然と保存できる中容器、さらには複数の中容器と記憶媒体を内蔵できる外容器とで構成されてなる請求項１記載のＤＮＡ埋葬システム。
【請求項３】
請求項１の記録媒体には、故人の血族、姻族、生涯の記録、写真などの映像、声、DNAの配列が記録されてなる請求項１記載のＤＮＡ埋葬システム。
【請求項４】
請求項１の保管庫が公的もしくはそれに類する機関、寺院もしくは霊園管理者などの、永続的な保管が期待できる組織が運営する設備、施設などに保管され、かつ運営されてなる請求項１記載のＤＮＡ埋葬システム。
【考案の詳細な説明】
【技術分野】
【０００１】
本考案は、故人の足跡を永続的に保管するシステムに関する。
【背景技術】
【０００２】
人類に取って、自分が生きた証を永続的に残すことは古来からの夢であるが、自伝などでその生涯が記録され、かつそれが永続的に伝わっていくのは、所謂偉人などの極一握りの人間に過ぎない。また、家系図や寺の過去帳などは家系を遡るのに貴重な資料となっているが、伝えられるのは名前や死亡年月日などのほんの一部の情報に過ぎない。また、家系図や過去帳などは未だ紙媒体が中心で、さらには近年の少子化傾向で、その保存性、永続性に大きな問題を抱えている。最近は電子媒体での保存が盛んになり保存性の面では格段に進歩したが、誰が、いつまで、どのような決まりで、管理するかなどの永続性については未だ不安を抱えている。
【０００３】
一方、過去帳の例に見られるように、故人の記録は、遺骨などの故人の身体部分を祭ったのと同じもしくは関連した施設で保管することにより、その保存性は急激に高まる。しかし、土葬の対象である遺体は勿論のこと、火葬における遺骨においても、それを祭るのにはかなりの土地、空間が必要となり、限られた土地では永続的な保管は困難である。さらには、不慮の事故等で遺体が残らない場合には埋葬が困難になってしまう。その上、この少子化時代においては、家系が断絶して無縁仏になってしまう危険性も常に付きまとっている。
【０００４】
他方、DNAは生命の源であり、かつ安定性に優れているため、個人の生体情報の保存には最適の物質である上保管には場所を取らない。そういった意味で、最近、故人のDNAを抽出・精製して保管しようとする試みがある（例えば、特許文献１、２）。
【０００５】
【特許文献１】特開2001-114601号公報
【特許文献２】特開2001-327392号公報
【考案の開示】
【考案が解決しようとする課題】
【０００６】
しかし、特開2001-114601は本人がDNAをペンダントなどに収納して身に着けて携帯し、死後は仏壇などに安置して、本人もしくは子孫が遺伝子情報として利用できるようにすることを目的としている。特開2001-327392は遺伝子保存用位牌についての特許であり、発明の効果で礼拝時に故人を偲ぶ気持ちを高める効果を謳っているが、主目的は、特開2001-114601と同じく、故人に続く極限定された世代まで遺伝子を保存して、遺伝子情報が必要なときには利用を可能にすることにある。
【０００７】
さらに、特許第3673451号では、故人が生存していたことを証明できる物証を識別可能状態で収納した容器と前記故人の生涯情報を記録した媒体とを密封収納する箱型のお墓を請求し、その物証としてDNAを挙げているが、あくまでも故人単位のお墓であり、収納するのに必要な面積や保管の永続性などにはいまだ問題を残している。即ち、上記のいずれにおいても、その思想は故人を知る数世代間が故人を偲ぶことにあり、故人の遺伝子（生体情報）や家系および生涯記録などの永続的な保管には程遠い。
【課題を解決するための手段】
【０００８】
本考案が解決しようとする課題は、人類に取って永遠の課題である故人の生き様を子々孫々まで永続的に残すシステムを提供することにある。
家系図や寺の過去帳などは家系を遡るのに貴重な資料となっているが、伝えられるのは名前や死亡年月日などのほんの一部の情報に過ぎない。さらに、家系図や寺の過去帳は未だ紙媒体が中心であり、かつ近年の少子化傾向などで、その保存性、永続性に大きな問題を抱えている。
最近は電子媒体での保存が盛んになり保存性の面では格段に進歩したが、公的もしくはそれに準じる機関が管理運営しない限りその永続性には不安を感じる。
さらに、過去帳の例に見られるように、故人の記録は、遺骨などの故人の身体部分を祭ったのと同じもしくは関連した施設で保管することにより、その保存性は急激に高まることは明らかである。但し、土葬の対象である遺体は勿論のこと、火葬における遺骨においても、その収納力、跡継ぎがいないことによる無縁仏化などの問題がある。
【０００９】
本考案では、故人のDNAもしくは細胞を保存する保存容器と、該故人の生前などを記録した書き換え可能な記録媒体とを一括保存する保管庫を備え、前記保存容器は、故人の子孫もしくは引継ぎを希望し、かつ故人が生前、もしくはその正当な代理人などが認めた人数分だけ用意してあり、前記記憶媒体には、保存容器の人数分の記録を書き加えてなるＤＮＡ埋葬システムを提供する。
保管庫は、DNAもしくは細胞の保存容器および多数の保存容器を整然と保存できる中容器、さらには複数の中容器と記憶媒体を内蔵できる外容器とで構成するのが好ましい。
本考案においては、DNAもしくは細胞を保存する容器は、せいぜい数立方センチ、大きくてもせいぜい数十立方センチに過ぎないので、ラックなどに整然と保存することにより幾世代にも渡って新たな保存が可能で、散在の心配が極めて少ない。
また、子孫を残す、すなわちDNAを残すというのは、生物誕生以来、延々と行なわれてきた営みであり、DNAは生命の源である。かつDNAは安定性に優れているため、個人の生体情報の保存には最適である。また、DNAなどの個人の生体情報と生涯記録などの個人情報の同所保管は、その情報間の解析を容易にし、DNA配列情報と疾患、治療に対する反応性の解明などに活用することが容易となる。
【００１０】
そのため、本考案では、故人もしくは故人の生前に、血液、頬粘膜細胞などの体試料からDNAを抽出・精製した後、乾燥状態、もしくは安定な液体、固体等の媒体中で、保存性の優れた容器（内容器）に密封状態で保存する。但し、雑菌由来DNAの混入を防ぐためにDNAを抽出・精製するための試料としては血液が好ましい。また、生前にDNAを採取し保存しておくことにより、不慮の事故等で遺体が戻らない時にも埋葬が可能であり、また、遺体の照合にも利用可能となる。
【００１１】
さらに、現在、核酸配列を解析する装置の高速化、解析の低コスト化が進みつつあり、近い将来に人一人の核酸配列解析を1,000ドルでできる時代が来ると言われている。そのような時代になれば、保存しておいた故人のDNAや生前に採取したDNAの配列を解析し、電子媒体に記録することが可能となる。その場合は、生体情報と個人情報の連結性、管理性、永続性は格段に上昇する。最近、人のDNA配列情報の解析が進み、一塩基多型 (SNPs) などのDNAのわずかな差異と疾患、治療に対する反応性などとの関連性の研究が本格化しており、今後は、故人を含めた疫学調査の重要性は益々増大するものと考えられる。
但し、DNAは分離、精製の段階で往々にして断片化されるため、より完全に保存するためにはDNAを格納している細胞核もしくはその細胞核を内蔵している細胞そのものを安定に保存する方がより完全である。細胞の保存については、研究室では細胞をグリセロールなどの緩衝物質を含有した培養液に浮遊して凍結状態で保存しているが、この方法は永続的保管には適していないため、例えば、細胞を樹脂に閉じ込める、凍結乾燥後乾燥状態で保存するなど、永続保管に適した細胞の保存法を選択する方が好ましい。
【００１２】
DNAもしくは細胞を保存した内容器は、ラックなどの中容器に整然と保存し、内容器本体もしくはその蓋などに、故人の戒名、俗名、没年月日などの故人識別のための情報を刻印しておく。中容器は鍵の掛かる、かつ故人の子孫もしくはそれに準ずる者などの直接もしくは許可なくして開けることができない保管庫などの外容器に収納する。なお、外容器に中容器を収納する場合に、ラックなどを利用することにより、複数の中容器の収納が可能になり、また取り出し、収納がしやすくなる。
さらに、外容器の蓋、もしくは本体には、故人の血族、姻族、生涯の記録、写真などの記録を永続的に保管できる媒体を収納する。最近の記録媒体は人間の生涯を記録する程度であれば現時点でも極めて多数人の記録が可能なほど膨大な容量を持っているが、その記録容量は増大の一途をたどっており、将来さらに大きな容量の媒体にトランスファーすることも可能である。
【００１３】
また、DNAもしくは細胞、記録媒体共に子もしくは必要な承継者分だけ用意できることから、他家に嫁いだために跡継ぎがいなくて引継ぎが断絶するなどの危険性も軽減される。さらに、子孫など、それを継ぐものが、自身のDNAもしくは細胞が入った内容器を上記中容器に収納するとともに、上記の記録媒体に自身の生涯記録などの情報を追記していくことを繰り返すことで、埋葬者の情報が分散することなく子々孫々まで伝達されていくことができる。
なお、従来の家単位などでの埋葬の場合は、先祖代々のDNAもしくは細胞は本流にあたるものしか受け継げないことになるが、この場合、傍流にあたるものは、先祖の記録媒体を複製しそこに自身の情報を書き加えると共に、親などの一代前のDNAもしくは細胞から受け継ぐことになる。他方、一族などを纏めて埋葬することも可能である。
【００１４】
なお、外容器の作りはお墓のような故人を偲ぶに相応しい形にして、墓地に設置することも可能であるが、保存や管理上の問題などから、外容器は適切な施設の中に保管されるのが望ましい。さらには、外容器を普段は倉庫などの中に保管しておき、遺族など関係者のお参りの際には、故人を偲ぶのに相応しい設備に移動することも考えられる。なお、外容器の管理は、公的もしくはそれに準じる機関が管理、運営する時代が到来するまでは、寺院や霊園管理者等の永続的な管理が期待できる事業団体が行なうことが肝要である。
【考案の効果】
【００１５】
本考案により、１）埋葬のための空間が極端に少なくなり永続的な埋葬が可能となる。２）DNAもしくは細胞保存容器に故人の家系や生き様、外見などの、故人に付随する情報を記載した記録媒体を付属させることにより、故人の生涯記録を安定的に承継できる。３）故人のDNAもしくは細胞、生涯の記録は重複して作成できるので、跡継ぎ以外にも承継していけるなどで、将来にわたって情報が引き継がれる可能性が高い。４）子孫など、それを継ぐものが、自身のDNAもしくは細胞が入った内容器の収納と、上記記録媒体に自身の生涯記録などの追記を繰り返すことで、情報などが分散することなく子々孫々まで伝達されていく。５）故人のDNA情報と生涯記録を疫学調査などに活用することにより、病因の解明など後世の健康的な生活に資することも可能となる。６）DNA配列を解析し、電子媒体に取り込むことにより、その情報性、保存性はさらに高まる。７）公的な機関などで安定した情報管理システムができれば、それに引き継ぐことも可能性となる。８）外容器の作りや、外容器が安置される設備、施設を故人を偲ぶに相応しい雰囲気にすることにより信仰の対象になる。
【考案を実施するための最良の形態】
【００１６】
本考案の実施例を図面に基づいて説明する。
図１は、本考案に係るDNA埋葬システムの全体概略図である。
図１（ａ）は、DNAもしくは細胞を保存するための容器を示す図で、容器は、保存性に優れた容器（以下、内容器）、例えば、ステンレス、鉛等の金属容器、プラスチック容器を用いることができる。内容器１のサイズは、DNAもしくは細胞を保存するのに足りるサイズでよいので、数立法センチメートルのもので足りる。この内容器１に、故人もしくは故人の生前の体（血液、頬粘膜細胞等）から分離した体試料２を入れる。体試料２は、細胞をそのまま入れても、細胞からDNAを抽出・精製したものを入れてもよい。細胞もしくは細胞から抽出・精製したDNAは、乾燥状態、液体または固体で周囲を満たした状態、もしくは不活性ガスを充填した状態で、内容器１に入れ、密栓３にて密封する。密栓３は、ねじ切りにより締結しても、熱融解により溶着してもよい。
内容器１そのもの、もしくは密栓３の表面に故人の戒名、俗名、没年月日などの故人識別のための情報を保存性の高い方法で印字する。印字方法としては、例えば、レーザ照射による刻印などを用いる。図１（ａ）では、情報刻印したシール１ａが貼り付けてある。
【００１７】
内容器１は、中が仕切られた箱などの容器（中容器）内に年代順などで収納する。中容器４としては、例えば、周知の臨床用の検体ラックを用いることができる。図１(b)の中容器４は、有底の容器本体４aに8×12個の凹部が設けられており、該凹部に内容器１が収容される。容器本体４ａは、ヒンジで固定された開閉蓋４ｂにより密閉可能になっている。
【００１８】
さらに、中容器４は鍵の掛かる外容器（保存庫）５に収納する。外容器５は、金庫などの耐候性、耐食性に優れた容器を使用するのが好ましい。外容器５には、中容器４を複数個収容できる空間部があり、図１（ｃ）では6個の中容器を収納できるようになっている。まず下段に中容器４を2個並べた後、棚５ａを置き、その上に順次中容器４を並べるように配置する。この外容器５には一族の容器を収容し、一括管理するのが好ましい。
さらに、外容器５の内壁には、故人の血族、姻族、生涯記録などを保存した記録媒体を収納するためのスペース５ｂが設けられており、このスペース５ｂに記録媒体５ｃを収納する。記録媒体５ｃは、血族、姻族、生涯の記録、写真などの映像、声、DNAの配列が記録されており、記録媒体に記載する故人の記録は、没後に近親者などの関係者から聴取して記載するか、生前に記録しておき、誕生日などの節目ごとに書き直すのが好ましい。
外容器５内に記録媒体５ｃ、中容器４を収納した後、取っ手５ｄの付いた内蓋５ｅで覆い、さらに外蓋５ｆで密封する。外蓋５ｆは、鍵（図示せず）をかけ、故人の末裔等の適切な関係者以外は容易にアクセスできない状態で厳重に保管する。なお、外容器５の作りはお墓のような形にして、故人を偲ぶ対象として墓地に設置することも可能であるが、保存や管理上などからは、外容器は適切な施設の中に保管されるのが望ましい。すなわち、公的もしくはそれに類する機関、寺院もしくは霊園管理者などの、永続的な保管が期待できる組織が運営する設備、施設などに保管され、かつ運営されるのが望ましい。
【産業上の利用可能性】
【００１９】
本考案により、埋葬のための空間の大幅な縮小、故人の遺伝子情報、個人情報の永続的な保管に資することができ、故人の生き様を後世に知らしめることが可能となる。また、万が一故人の遺体が戻らないときの家族の心痛は計り知れないものがあるが、生前に採取しておいたDNAもしくは細胞を埋葬することによりその心痛も和らげることが可能となる。さらには故人の遺伝子情報と病歴、治療歴等の情報を組み合わせることにより、後世の人類の健康に貢献することも可能となる。
【図面の簡単な説明】
【００２０】
【図１】本考案に係るDNA埋葬システムの全体概略図
【符号の説明】
【００２１】
１：内容器
４：中容器
５：外容器
【図１】
0003146457.tif 000003